(57)【特許請求の範囲】
【請求項１】
送られてくるＡＶデータを受信する受信手段と、
受信した前記ＡＶデータを逐次記録しながら、同時に記録してから所定の時間が経過した前記ＡＶデータを逐次消去するバッファリングを行う複数個のバッファ手段と、
受信した前記ＡＶデータを再生する通常再生、または前記バッファ手段に記録されている前記所定時間分の前記ＡＶデータを再生するプレイバック再生を行う再生手段とを備え、
指示を受けると、前記再生手段は、前記通常再生を行うかまたは前記プレイバック再生を行うかを切り替え、
指示を受けると、前記複数個のバッファ手段は、前記受信手段と直列に接続するか、または並列に接続するかを切り替えることが出来、
前記複数個のバッファ手段が前記受信手段と並列に接続している場合は、前記再生手段が前記複数個のバッファ手段のうちいずれかの前記バッファ手段を用いて前記プレイバック再生を行っている際、それ以外の前記バッファ手段は前記ＡＶデータに対して前記バッファリングを行っており、
前記複数個のバッファ手段が前記受信手段と直列に接続している場合は、前記複数個のバッファ手段が一つのバッファ手段のように機能し、前記プレイバック再生の時間が、並列に接続している場合に比較して長くなることを特徴とするテレビジョン受像装置。
【請求項２】
前記複数個のバッファ手段に記録されている前記ＡＶデータを保存する保存手段を備え、
指示を受けると前記保存手段は、前記バッファ手段に記録されている前記ＡＶデータを保存することを特徴とする請求項１に記載のテレビジョン受像装置。
【請求項３】
前記ＡＶデータはアナログデータとして送られてきており、
受信した前記ＡＶデータをディジタルデータに変換するエンコーダ手段を備え、
前記バッファ手段は、前記ディジタルデータに変換された前記ＡＶデータに対して前記バッファリングを行うことを特徴とする請求項１または２に記載のテレビジョン受像装置。
【請求項４】
請求項１記載のテレビジョン受像装置の、送られてくるＡＶデータを受信する受信手段、
受信した前記ＡＶデータを逐次記録しながら、同時に記録してから所定の時間が経過した前記ＡＶデータを逐次消去するバッファリングを行う複数個のバッファ手段、
受信した前記ＡＶデータを再生する通常再生、または前記バッファ手段に記録されている前記所定時間分の前記ＡＶデータを再生するプレイバック再生を行う再生手段としてコンピュータを機能させるためのプログラムを記録したプログラム記録媒体であって、コンピュータにより処理可能なプログラム記録媒体。
【発明の詳細な説明】
【０００１】
【発明の属する技術分野】
本発明は、テレビ放送などのリアルタイム映像の視聴中に見終わった映像を再び視聴するプレイバック再生を行うことが出来るテレビジョン受像装置及びプログラム記録媒体に関するものである。
【０００２】
【従来の技術】
テレビ放送などのリアルタイム映像を視聴している際に、見終わった部分をもう一度視聴したい場合、見終わった部分を簡単に素早く再生するプレイバックと呼ばれる再生機能を持つテレビジョン受像装置がある。
【０００３】
以下、図９を参照して、このようなテレビジョン受像装置２６について説明する。
【０００４】
テレビジョン受像装置２６は、ＴＶ受信部４、録画制御部２７、時計６、ＨＤＤ（ハードディスクドライブ）７、切り替えスイッチ２９、システム制御部１１、再生部１２から構成される。また、ＨＤＤ７にはリングバッファ領域２８が設けられている。
【０００５】
また、テレビジョン受像装置２６には、アンテナ２、モニタ３が接続されている。
【０００６】
アンテナ２は、放送局から送られてくる放送波を電気信号に変換する手段である。
【０００７】
ＴＶ受信部４は、アンテナ２から送られてくる電気信号を受信し、復調して、ＡＶデータをＭＰＥＧ２トランスポートストリームとして出力する手段である。
【０００８】
録画制御部２７は、ＴＶ受信部４から出力されるＡＶデータを逐次リングバッファ領域２８に記録しながら、同時にリングバッファ領域２８に記録されてから３０秒経過したＡＶデータを消去するように、ＡＶデータの録画を制御する手段である。
【０００９】
時計６は、録画制御部２７が処理を行うために基準となる時刻を刻む手段である。
【００１０】
ＨＤＤ７は、ハードディスク装置である。
【００１１】
リングバッファ領域２８は、３０秒間分のＡＶデータを記録する領域である。
【００１２】
切替スイッチ２９は、再生部１２に、ＴＶ受信部４から送られてくるＡＶデータを入力するか、リングバッファ領域２８に記録されているＡＶデータを入力するかを切り替えるスイッチである。
【００１３】
再生部１２は、入力されたＡＶデータをデコードし、アナログ信号に変換する手段である。
【００１４】
システム制御部１１は、テレビジョン受像装置２６を制御する手段である。
【００１５】
モニタ３は、アナログ信号を表示する手段である。
【００１６】
次に、このような従来のテレビジョン受像装置２６の動作を説明する。
【００１７】
アンテナ２は、放送局から送られてきた放送波を電気信号に変換する。
【００１８】
ＴＶ受信部４は、放送波を復調する。復調されたＡＶデータは、ＭＰＥＧ２トランスポートストリームとして、切替スイッチ２９と録画制御部２７に送られる。
【００１９】
切替スイッチ２９は、システム制御部１１の制御に従って、ＴＶ受信部４から送られてくるＡＶデータを入力するように切り替えられている。再生部１２は、ＴＶ受信部４から送られてくるＡＶデータを切り替えスイッチ２９を介して、入力し、デコードしてアナログ信号に変換する。
【００２０】
モニタ３は、アナログ信号を表示する。
【００２１】
一方、録画制御部２７は、ＴＶ受信部４から送られてくるＡＶデータを逐次リングバッファ領域２８に記録する。そして、時計６で時刻を参照し、リングバッファ領域２８に記録してから３０秒経過したＡＶデータを逐次消去する。
【００２２】
切替スイッチ２９は、ＴＶ受信部４から再生部１２にＡＶデータが送られるように切り替えられているので、リングバッファ領域２８は、ＡＶデータを記録し続けると同時に記録されてから３０秒経過したＡＶデータを消去し続けるだけで、ＡＶデータを再生部１２には出力しない。
【００２３】
視聴者は、このようにしてモニタ３に表示される映像と音声を視聴している。例えば、視聴している番組が料理番組であって、番組で料理のレシピが紹介されたとする。視聴者は、料理のレシピをうっかり見過ごしてしまったので、もう一度視聴しようとする。そのような場合、視聴者は、プレイバック再生を実行するために図示していないリモコンを操作する。
【００２４】
リモコンからの操作命令は、システム制御部１１に通知され、この操作命令に基づいて、システム制御部１１は、テレビジョン受像装置２６を制御する。
【００２５】
すなわち、切替スイッチ２９を再生部１２がリングバッファ領域２８に記録されているＡＶデータを入力するように切り替える。再生部１２は、リングバッファ領域２８に記録されている３０秒分のＡＶデータを３０秒前から順に入力し、デコードした後、アナログ信号に変換する。
【００２６】
モニタ３には、３０秒分の映像、音声が表示される。
【００２７】
視聴者は、このようなプレイバック再生によって料理のレシピを再度視聴することができる。
【００２８】
３０秒分のＡＶデータの再生が終了すると、システム制御部１１は切り替えスイッチ２９をＴＶ受信部４から再生部１２にＡＶデータが渡されるように切り替える。再生部１２は、ＴＶ受信部４から送られてくるＡＶデータを入力し、デコードした後アナログ信号に変換する。
【００２９】
モニタ３は、このようにして再び現在放映中の映像、音声を表示する。
【００３０】
以上のようにリモコンの操作ボタンを押すだけで、３０秒だけ過去にさかのぼって映像、音声を再生することが出来る。
【００３１】
【発明が解決しようとする課題】
しかしながら、従来のテレビジョン受像装置２６では、プレイバック再生した内容をもう一度視聴したくても、リングバッファ領域２８、つまりプレイバック再生用にＡＶデータを記録しておくためのバッファの内容が書き替えられてしまうので、視聴することは出来ない。すなわち、従来のテレビジョン受像装置では、プレイバック再生したＡＶデータをさらに視聴することは出来ないという課題がある。
【００３２】
また、プレイバック再生中にも番組は継続して放送されているが、プレイバック再生が完了すると、プレイバック完了時に放送されているＡＶデータから再生表示されるので、プレイバック中に放送されたＡＶデータの部分を視聴することは出来ない。すなわち、従来のテレビジョン装置では、プレイバック中に放送されたＡＶデータを視聴することは出来ないという課題がある。
【００３３】
また、プレイバック再生を行う時間は、プレイバック再生用にＡＶデータを記録しておくバッファのサイズによって決まってしまうので、プレイバック再生を行う時間を長くすることは出来ない。すなわち、従来のテレビジョン受像装置では、プレイバック再生を行う時間を長くすることは出来ないという課題がある。
【００３４】
本発明は、従来のテレビジョン受像装置では、プレイバック再生したＡＶデータをさらに視聴することは出来ないという課題を考慮し、プレイバック再生したＡＶデータを何度も視聴することが出来るテレビジョン受像装置及びプログラム記録媒体を提供することを目的とするものである。
【００３５】
また、本発明は、従来のテレビジョン装置では、プレイバック中に放送されたＡＶデータの部分を視聴することは出来ないという課題を考慮し、プレイバック中に放送されたＡＶデータの部分も視聴することが出来るテレビジョン受像装置及びプログラム記録媒体を提供することを目的とする。
【００３６】
また、本発明は、従来のテレビジョン受像装置では、プレイバック再生を行う時間を長くすることは出来ないという課題を考慮し、プレイバック再生を行う時間を長くすることが出来るテレビジョン受像装置及びプログラム記録媒体を提供することを目的とするものである。
【００３７】
【課題を解決するための手段】
【００４８】
上述した課題を解決するために、第１の本発明は、送られてくるＡＶデータを受信する受信手段と、
受信した前記ＡＶデータを逐次記録しながら、同時に記録してから所定の時間が経過した前記ＡＶデータを逐次消去するバッファリングを行う複数個のバッファ手段と、
受信した前記ＡＶデータを再生する通常再生、または前記バッファ手段に記録されている前記所定時間分の前記ＡＶデータを再生するプレイバック再生を行う再生手段とを備え、
指示を受けると、前記再生手段は、前記通常再生を行うかまたは前記プレイバック再生を行うかを切り替え、
指示を受けると、前記複数個のバッファ手段は、前記受信手段と直列に接続するか、または並列に接続するかを切り替えることが出来、
前記複数個のバッファ手段が前記受信手段と並列に接続している場合は、前記再生手段が前記複数個のバッファ手段のうちいずれかの前記バッファ手段を用いて前記プレイバック再生を行っている際、それ以外の前記バッファ手段は前記ＡＶデータに対して前記バッファリングを行っており、
前記複数個のバッファ手段が前記受信手段と直列に接続している場合は、前記複数個のバッファ手段が一つのバッファ手段のように機能し、前記プレイバック再生の時間が、並列に接続している場合に比較して長くなることを特徴とするテレビジョン受像装置である。
【００４９】
また、第２の本発明は、前記複数個のバッファ手段に記録されている前記ＡＶデータを保存する保存手段を備え、
指示を受けると前記保存手段は、前記バッファ手段に記録されている前記ＡＶデータを保存することを特徴とする第１の本発明のテレビジョン受像装置である。
また、第３の本発明は、前記ＡＶデータはアナログデータとして送られてきており、
受信した前記ＡＶデータをディジタルデータに変換するエンコーダ手段を備え、
前記バッファ手段は、前記ディジタルデータに変換された前記ＡＶデータに対して前記バッファリングを行うことを特徴とする第１または第２の本発明のテレビジョン受像装置である。
【００５０】
また、第４の本発明は、第１の本発明のテレビジョン受像装置の、送られてくるＡＶデータを受信する受信手段、
受信した前記ＡＶデータを逐次記録しながら、同時に記録してから所定の時間が経過した前記ＡＶデータを逐次消去するバッファリングを行う複数個のバッファ手段、
受信した前記ＡＶデータを再生する通常再生、または前記バッファ手段に記録されている前記所定時間分の前記ＡＶデータを再生するプレイバック再生を行う再生手段としてコンピュータを機能させるためのプログラムを記録したプログラム記録媒体であって、コンピュータにより処理可能なプログラム記録媒体である。
【００５１】
【発明の実施の形態】
以下に、本発明及び本発明に関連する発明の実施の形態について図面を参照して説明する。
【００５２】
（第１の実施の形態）
まず、本発明に関連する発明の第１の実施の形態について説明する。
【００５３】
図１は、本実施の形態のテレビジョン受像装置１の構成を示すブロック図である。
【００５４】
テレビジョン受像装置１は、ＴＶ受信部４、録画制御部５、時計６、ＨＤＤ７、切替スイッチ１０、システム制御部１１、再生部１２から構成される。また、ＨＤＤ７は、リングバッファ領域８と保存領域９から構成される。
【００５５】
また、テレビジョン受像装置１には、アンテナ２とモニタ３が接続されている。
【００５６】
アンテナ２は、放送局から送られてくる放送波を電気信号に変換する手段である。
【００５７】
また、図３に本実施の形態のリモコン１８を示す。リモコン１８は、プレイバック１９、全部保存２０、一部保存２１、静止画保存２２のキーから構成される。リモコン１８には、これ以外にも視聴するチャンネルを切り替えたり、モニタの音量を調節するためのキーがあるが、本実施の形態に関係するキーのみ図示してある。
【００５８】
ＴＶ受信部４は、アンテナから送られてくる電気信号を受信し、復調してＡＶデータを出力する手段である。本実施の形態ではＡＶデータはＭＰＥＧ２トランスポートストリームとして放送局から送られてくる。なお、ＭＥＰＧとはＭｏｔｉｏｎ  Ｐｉｃｔｕｒｅ  Ｅｘｐｅｒｔ  Ｇｒｏｕｐの略であり、ＭＰＥＧ２は、ＩＳＯ／ＩＥＣにおける規格番号１３８１８の規格である。
【００５９】
録画制御部５は、ＡＶデータをＨＤＤ７に記録する手段である。
【００６０】
時計６は、録画制御部５に時刻を知らせる手段である。
【００６１】
ＨＤＤ７は、ＡＶデータを記録するハードディスクである。
【００６２】
リングバッファ領域８は、ＨＤＤ７の領域の一部であり、ＡＶデータを記録するリングバッファとして使用される領域である。
【００６３】
保存領域９は、リングバッファ領域８に記録されているＡＶデータを恒久的に保存するための領域である。
【００６４】
切り替えスイッチ１０は、ＴＶ受信部４から送られてくるＡＶデータを再生部１２に送るか、またはリングバッファ領域８に記録されているＡＶデータを再生部１２に送るか、または保存領域９に保存されているＡＶデータを再生部１２に送るかを切り替える切替スイッチである。
【００６５】
システム制御部１１は、リモコン１８からの操作命令に従って、テレビジョン受像装置１を制御する手段である。
【００６６】
再生部１２は、切替スイッチ１０を介して送られてくるＡＶデータをデコードし、アナログ信号に変換する手段である。
【００６７】
モニタ３は、ＡＶデータを表示する手段である。
【００６９】
次にこのような本実施の形態の動作を説明する。
【００７０】
まず、放送局で放送される番組を視聴する場合の動作を説明する。
【００７１】
放送局からは、ＭＰＥＧ２トランスポートストリームとしてＡＶデータが放送波にのせて送られてくる。
【００７２】
アンテナ２は、この放送波を電気信号に変換する。
【００７３】
ＴＶ受信部４は、この電気信号を受信して、復調する。さらに、ＴＶ受信部４は復調されたＭＰＥＧ２トランスポートストリームを分離する。そして、分離したＡＶデータを、切替スイッチ１０と録画制御部５に送る。
【００７４】
切替スイッチ１０は、ＴＶ受信部４から送られてくるＡＶデータを再生部１２に中継するように設定されているとする。従って、再生部１２は、ＴＶ受信部４からおくられてくるＡＶデータを入力する。そしてデコードしてアナログ信号に変換する。
【００７５】
モニタ３は、再生部１２から送られてくるアナログ信号を表示する。
【００７６】
一方、録画制御部５は、ＴＶ受信部４から送られてくるＡＶデータを逐次リングバッファ領域８に書き込む。同時に時計６から通知される時刻をもとに記録してから３０秒経過したＡＶデータをリングバッファ領域８から逐次消去する。録画制御部５は、このようにＡＶデータをリングバッファ領域８に書き込みながら、記録されてから３０秒経過したＡＶデータを消去している。
【００７７】
図２に、リングバッファ領域８の状態とＴＶ受信部４から出力されるＡＶデータを示す。ＴＶ受信部４からは、ＡＶデータ１４が出力され、現在、現時点１５の部分が出力されている。このときリングバッファ領域８には、リングバッファ内のＡＶデータ１６が記録されている。リングバッファ内のＡＶデータ１６は、現時点から３０秒分過去に遡った部分までが記録されている。すなわち、３０秒過去から現時点１５までのＡＶデータをプレイバック再生することが出来る。この３０秒分のＡＶデータは、図２ではプレイバック再生可能部分１７として示されている。
【００７８】
視聴者は、このようにしてモニタ３に表示される番組を視聴している。
【００７９】
視聴者が視聴している番組が英会話の番組であるとする。そして、英会話を暗記するために英会話の一部分を繰り返して視聴したい思ったとする。このような場合、視聴者は、プレイバック再生を行う。
【００８０】
次に、プレイバック再生を行う際の動作を説明する。
【００８１】
英会話の一部を繰り返し視聴するために、視聴者は、図３に示すリモコン１８のプレイバック１９のキーを押す。
【００８２】
そうすると、システム制御部１１は、リモコン１８からの操作命令を受信する。次に、システム制御部１１は、ＴＶ受信部４から送られてくるＡＶデータを再生部１２に中継する側からリングバッファ領域８のＡＶデータを再生部１２に中継するように切替スイッチ１０を切り替える。同時に録画制御部５にプレイバック再生を開始することを通知する。
【００８３】
録画制御部５は、これを受けて、プレイバック再生中はリングバッファ領域８にＡＶデータを書き込むことを中止し、３０秒経過したＡＶデータを消去することも中止する。このように録画制御部５は、プレイバック再生中はリングバッファ領域８を凍結する。
【００８４】
再生部１２は、リングバッファ領域８のＡＶデータを読み込み、デコードしてアナログ信号に変換する。
【００８５】
モニタ３は、アナログ信号の映像と音声を表示する。
【００８６】
視聴者は、このようにしてプレイバック再生された繰り返し視聴したい英会話の部分を再度視聴することができる。
【００８７】
さらに、プレイバック再生中に視聴者は、リモコン１８の全部保存２０のキーを押したとする。
【００８８】
そうすると、システム制御部１１は、リモコン１８からの操作命令を受信する。次に、システム制御部１１は、録画制御部５にリングバッファ領域８に記録されているＡＶデータを保存領域９にコピーするように命じる。
【００８９】
これを受けて、録画制御部５は、リングバッファ領域８に記録されているＡＶデータを保存領域９にコピーする。プレイバック再生中、録画制御部５は、リングバッファ領域８へ新たにＡＶデータを記録せず、またＡＶデータを消去しないので、録画制御部５は、視聴者が繰り返し視聴したい英会話の部分を３０秒分保存領域９に書き込むことが出来る。
【００９０】
このように保存領域９に記録されたＡＶデータは恒久的に保存されるので、何度も繰り返して再生することが出来る。
【００９１】
プレイバック再生を開始してから３０秒経過すると、録画制御部５はプレイバック再生が終了したことをシステム制御部１１に通知する。さらに、リングバッファ領域８への書き込みと３０秒以上経過したＡＶデータの消去を再開する。
【００９２】
システム制御部１１は、録画制御部５からの通知を受けて、切替スイッチ１０をＴＶ受信部４から出力されたＡＶデータを再生部１２に中継するように指示する。切替スイッチ１０は、この指示に従ってＴＶ受信部４から送られてくるＡＶデータを再生部１２に中継する。
【００９３】
再生部１２は、再びＴＶ受信部４から送られてくるＡＶデータをデコードしてアナログデータに変換する。
【００９４】
そして、モニタ３は、現在放送中の番組を表示する。
【００９５】
前述したように保存領域９に保存されたＡＶデータは、恒久的に保存されるので、視聴者の都合のいい時間に何回でも繰り返し再生して視聴することが出来るが、もちろん、保存領域９に保存されているＡＶデータのうち不要になったＡＶデータについては、視聴者がテレビジョン受像装置１の操作パネルまたはリモコン１８を操作することによって消去することが出来る。
【００９６】
なお、本実施の形態では、英会話の番組を視聴している場合について説明したが、料理番組、映画、ドラマ、野球、相撲、音楽などどのような番組であっても構わない。
【００９７】
さらに、本実施の形態では、放送局から送られてくるＡＶデータがＭＰＥＧ２トランスポートストリームとして送られてくるとして説明したが、これに限らない。ＭＰＥＧ１準拠のＡＶデータ、ＭＰＥＧ４準拠のＡＶデータ、ＭＰＥＧ２プログラムストリーム、あるいはＭＰＥＧ以外のデータ形式など、要するにディジタルデータとしてＡＶデータが放送局から送られてきさえすればよい。
【００９８】
さらに、本実施の形態では、プレイバック再生の時間は３０秒であるとして説明したが、これに限らず、２０秒、１０秒など、要するにプレイバック再生に適した所定の時間でありさえすればよい。
【００９９】
さらに、本実施の形態では、録画制御部５はリングバッファ領域８にＡＶデータを記録しながら、記録してから所定の時間が経過したＡＶデータを逐次消去するとして説明したがこれに限らない。録画制御部５はリングバッファ領域８にすでに記録されているＡＶデータに逐次上書きしていっても構わない。ただし、Ｉ、Ｂ、Ｐフレームの違いや映像の複雑さによって１フレームあたりのデータの容量が変化するので、プレイバック再生の再生可能時間にばらつきが生じるが本実施の形態と同等の効果を得ることが出来る。
【０１００】
さらに、本実施の形態では、プレイバック再生用のＡＶデータを記録する領域として、ＨＤＤ７にリングバッファ領域８を設けたが、これに限らず、半導体メモリ、光磁気ディスクなど、要するに現時点から所定の時間分のＡＶデータを常に記録しており、現時点から所定時間分のＡＶデータを出力出来るバッファでありさえすればよい。
【０１０１】
さらに、本実施の形態では、プレイバック再生中にＡＶデータをＨＤＤ７の保存領域９に恒久的の保存するとして説明したが、これに限らず、ＴＶ受信部４からのＡＶデータを再生している最中にリングバッファ領域８に記録されているＡＶデータを保存領域９に保存しても構わない。そのためには、放送中のＡＶデータをモニタに表示している際に、プレイバック１９のキーを押さずに、直接リモコン１８の全部保存２０のキーを押す操作を行えばよい。
【０１０２】
（第２の実施の形態）
次に、本発明に関連する発明の第２の実施の形態について説明する。
【０１０３】
図１に本実施の形態のテレビジョン受像装置１を示す。本実施の形態のテレビジョン受像装置１は第１の実施の形態と同一である。
【０１０４】
また、図３に本実施の形態のリモコン１８を示す。本実施の形態のリモコン１８も第１の実施の形態と同一である。
【０１０６】
次に、このような本実施の形態の動作を第１の実施の形態との相違点を中心に説明する。
【０１０７】
なお、本実施の形態でもＡＶデータは放送局からＭＰＥＧ２トランスポートストリームとして送られてくる。
【０１０８】
本実施の形態でも、英会話の番組を視聴している場合を例にして説明する。現在放送されている英会話の番組を視聴している際の動作は第１の実施の形態と同一である。
【０１０９】
英会話の単語の発音を練習するために単語の発音練習のシーンを繰り返して視聴したいと思ったとする。このような場合、視聴者は、プレイバック再生を行う。
【０１１０】
単語の発音練習のシーンを繰り返し視聴するために、視聴者は、図３に示すリモコン１８のプレイバック１９のキーを押す。
【０１１１】
そうすると、システム制御部１１は、リモコン１８からの操作命令を受信する。次に、システム制御部１１は、ＴＶ受信部４から送られてくるＡＶデータを再生部１２に中継する側からリングバッファ領域８のＡＶデータを再生部１２に中継するように切替スイッチ１０を制御する。同時に録画制御部５にプレイバック再生を開始することを通知する。
【０１１２】
第１の実施の形態とは異なり、録画制御部５は、プレイバック再生中もリングバッファ領域８にＡＶデータを記録し続けながら記録してから３０秒経過したＡＶデータを消去し続ける。すなわち、リングバッファ領域８を凍結せず、継続してＡＶデータのバッファリングを行う。
【０１１３】
再生部１２は、リングバッファ領域８のＡＶデータを読み込み、デコードしてアナログ信号に変換する。
【０１１４】
モニタ３は、アナログ信号の映像と音声を表示する。
【０１１５】
視聴者は、このようにして単語の発音練習のシーンを再度視聴することができる。ただし、単語の発音練習のシーンは１５秒間のシーンであったとする。
【０１１６】
このような場合、プレイバック再生していて、単語の発音練習のシーンが始まると、視聴者は、リモコン１８の一部保存２１のキーを押す。
【０１１７】
そうすると、システム制御部１１は、リモコン１８からの操作命令を受信する。次に、システム制御部１１は、録画制御部５にリングバッファ領域８に記録されているＡＶデータのうち現在プレイバック再生されている部分から保存領域９にコピーするように命じる。
【０１１８】
これを受けて、録画制御部５は、リングバッファ領域８に記録されているＡＶデータのうち現在再生中の部分を保存領域９にコピーする。
【０１１９】
単語の発音練習のシーンが終了すると、視聴者は、リモコン１８の一部保存２１のキーをもう一度押す。
【０１２０】
そうすると、システム制御部１１は、リモコン１８からの操作命令を受信する。次に、システム制御部１１は、録画制御部５にリングバッファ領域８に記録されているＡＶデータのうち現在プレイバック再生されている部分を保存領域９にコピーすることを終了するように命じる。
【０１２１】
これを受けて、録画制御部５は、ＡＶデータのうち現在プレイバック再生されている部分を保存領域９にコピーすることを中止する。
【０１２２】
保存領域９には、単語の発音練習のシーンのみを保存されている。このように一部保存２１のキーで保存開始指示がなされた時にプレイバック再生中の記録エリアの位置から、一部保存２１のキーをもう一度押すことにより保存終了指示がなされた時のプレイバック再生中の記録エリアの位置までのＡＶデータを保存領域９に保存することによって、保存領域９にＡＶデータのうち必要な部分のみ記録することが出来る。記録されたＡＶデータは恒久的に保存されるので、何度も繰り返して再生することが出来る。
【０１２３】
プレイバック再生を開始してから３０秒経過すると、録画制御部５はプレイバック再生が終了したことをシステム制御部１１に通知する。
【０１２４】
システム制御部１１は、録画制御部５からの通知を受けて、切替スイッチ１０をＴＶ受信部４から出力されたＡＶデータを再生部１２に中継するように指示する。切替スイッチ１０は、この指示に従ってＴＶ受信部４から送られてくるＡＶデータを再生部１２に中継する。
【０１２５】
再生部１２は、再びＴＶ受信部４から送られてくるＡＶデータをデコードしてアナログデータに変換する。
【０１２６】
そして、モニタ３は、現在放送中のＡＶデータを表示する。
【０１２７】
保存領域９に保存されたＡＶデータは、恒久的に保存されるので、視聴者の都合のいい時間に何回でも繰り返し再生して視聴することが出来る。もちろん、保存領域９に保存されているＡＶデータのうち不要になったＡＶデータについては、視聴者がテレビジョン受像装置１の操作パネルまたはリモコン１８を操作することによって消去することが出来る。
【０１２８】
なお、本実施の形態では、プレイバック再生中に録画制御部５はリングバッファ領域８の凍結を行わないとして説明したが、これに限らず、プレイバック再生中に録画制御部５はリングバッファ領域８の凍結を行っても構わない。
【０１２９】
さらに、本実施の形態では、リモコン１８の一部保存２１のキーを押して、ＡＶデータのうち保存する部分を決定したが、これに限らず、全部保存２０のキーを押しても構わない。この場合、録画制御部５は、リングバッファ領域８のうち、まだプレイバック再生が行われていないＡＶデータの部分を保存領域９に保存する。
【０１３０】
さらに、本実施の形態では、英会話の番組を視聴している場合について説明したが、料理番組、映画、ドラマ、野球、相撲、音楽などどのような番組であっても構わない。
【０１３１】
さらに、本実施の形態では、放送局から送られてくるＡＶデータがＭＰＥＧ２トランスポートストリームとして送られてくるとして説明したが、これに限らない。ＭＰＥＧ１準拠のＡＶデータ、ＭＰＥＧ４準拠のＡＶデータ、ＭＰＥＧ２プログラムストリーム、あるいはＭＰＥＧ以外のデータ形式など、要するにディジタルデータとしてＡＶデータが放送局から送られてきさえすればよい。
【０１３２】
さらに、本実施の形態では、プレイバック再生の時間は３０秒であるとして説明したが、これに限らず、２０秒、１０秒など、要するにプレイバック再生に適した所定の時間でありさえすればよい。
【０１３３】
さらに、本実施の形態では、録画制御部５はリングバッファ領域８にＡＶデータを記録しながら、記録してから所定の時間が経過したＡＶデータを逐次消去するとして説明したがこれに限らない。録画制御部５はリングバッファ領域８にすでに記録されているＡＶデータに逐次上書きしていっても構わない。ただし、Ｉ、Ｂ、Ｐフレームの違いや映像の複雑さによって１フレームあたりのデータの容量が変化するので、プレイバック再生の再生可能時間にばらつきが生じるが本実施の形態と同等の効果を得ることが出来る。
【０１３４】
さらに、本実施の形態では、プレイバック再生用のＡＶデータを記録する領域として、ＨＤＤ７にリングバッファ領域８を設けたが、これに限らず、半導体メモリ、光磁気ディスクなど、要するに現時点から所定の時間分のＡＶデータを常に記録しており、現時点から所定時間分のＡＶデータを出力出来るバッファでありさえすればよい。
【０１３５】
さらに、本実施の形態では、プレイバック再生中にＡＶデータをＨＤＤ７の保存領域９に恒久的に保存するとして説明したが、これに限らず、半導体メモリ、光磁気ディスクなど、要するにＡＶデータを保存出来る記録媒体に保存しさえすればよい。
【０１３６】
（第３の実施の形態）
次に、本発明に関連する発明の第３の実施の形態について説明する。
【０１３７】
図１に本実施の形態のテレビジョン受像装置１を示す。本実施の形態のテレビジョン受像装置１は第１の実施の形態と同一である。
【０１３８】
また、図３に本実施の形態のリモコン１８を示す。本実施の形態のリモコン１８も第１の実施の形態と同一である。
【０１４０】
次に、このような本実施の形態の動作を第１の実施の形態との相違点を中心に説明する。
【０１４１】
なお、本実施の形態でもＡＶデータは放送局からＭＰＥＧ２トランスポートストリームとして送られてくる。
【０１４２】
本実施の形態では、通信販売の番組を視聴しており、掃除機を購入する場合を例にして説明する。
【０１４３】
現在放送されている番組を視聴している際の動作は第１の実施の形態と同一である。
【０１４４】
視聴者が視聴している番組が通信販売の番組であるとする。視聴者は、通信販売の番組で掃除機を紹介するコーナーを視聴し、その掃除機を購入したいと思ったとする。そして、そのコーナーの最後に購入するための電話番号と注文のための製品番号と掃除機の静止画からなる注文の仕方を紹介するシーンが表示されたとする。このような場合、視聴者は、注文するシーンをもう一度視聴するためにプレイバック再生を行う。
【０１４５】
次に、プレイバック再生を行う際の動作を説明する。
【０１４６】
購入するための電話番号と製品番号と掃除機の静止画からなる注文の仕方を紹介するシーンを再度視聴するために、視聴者は、図３に示すリモコン１８のプレイバック１９のキーを押す。また、このシーンは静止画であったする。
【０１４７】
そうすると、システム制御部１１は、リモコン１８からの操作命令を受信する。次に、システム制御部１１は、ＴＶ受信部４から送られてくるＡＶデータを再生部１２に中継する側からリングバッファ領域８のＡＶデータを再生部１２に中継するように切替スイッチ１０を切り替える。同時に録画制御部５にプレイバック再生を開始することを通知する。
【０１４８】
録画制御部５は、これを受けて、プレイバック再生中はリングバッファ領域８にＡＶデータを書き込むことを中止し、３０秒経過したＡＶデータを消去することも中止する。このように録画制御部５は、プレイバック再生中はリングバッファ領域８を凍結する。
【０１４９】
再生部１２は、リングバッファ領域８のＡＶデータを読み込み、デコードしてアナログ信号に変換する。
【０１５０】
モニタ３は、アナログ信号の映像と音声を表示する。
【０１５１】
視聴者は、このようにしてプレイバック再生された注文の仕方を紹介するシーンを再度視聴することができる。
【０１５２】
さらに、プレイバック再生中に視聴者は、リモコン１８の静止画保存２２のキーを押したとする。
【０１５３】
そうすると、システム制御部１１は、リモコン１８からの操作命令を受信する。次に、システム制御部１１は、録画制御部５にリングバッファ領域８に記録されているＡＶデータのうちＩフレームのみを保存領域９にコピーするように命じる。
【０１５４】
これを受けて、録画制御部５は、リングバッファ領域８に記録されているＡＶデータのうちＩフレームのみを保存領域９にコピーする。プレイバック再生中、録画制御部５は、リングバッファ領域８へ新たにＡＶデータを記録せず、またＡＶデータを消去しないので、録画制御部５は、購入方法を紹介するシーンを保存領域９に書き込むことが出来る。このシーンは静止画であるので、Ｂ、Ｐフレームまで保存する必要がない。
【０１５５】
このように保存領域９に記録されたＡＶデータは恒久的に保存されるので、何度も繰り返して再生することが出来る。
【０１５６】
プレイバック再生を開始してから３０秒経過すると、録画制御部５はプレイバック再生が終了したことをシステム制御部１１に通知する。さらに、リングバッファ領域８への書き込みと３０秒以上経過したＡＶデータの消去を再開する。
【０１５７】
システム制御部１１は、録画制御部５からの通知を受けて、切替スイッチ１０をＴＶ受信部４から出力されたＡＶデータを再生部１２に中継するように指示する。切替スイッチ１０は、この指示に従ってＴＶ受信部４から送られてくるＡＶデータを再生部１２に中継する。
【０１５８】
再生部１２は、再びＴＶ受信部４から送られてくるＡＶデータをデコードしてアナログデータに変換する。
【０１５９】
そして、モニタ３は、現在放送中の番組を表示する。
【０１６０】
保存領域９に保存されたＡＶデータは、恒久的に保存されるので、視聴者の都合のいい時間に何回でも繰り返し再生して視聴することが出来る。もちろん、保存領域９に保存されているＡＶデータのうち不要になったＡＶデータについては、視聴者がテレビジョン受像装置１の操作パネルまたはリモコン１８を操作することによって消去することが出来る。
【０１６１】
保存領域９に保存された電話番号と製品番号と掃除機の静止画からなる掃除機を注文するシーンを再生することによって、視聴者は、掃除機のデザインをじっくり確認することが出来、購入するかどうかの判断の材料に使うことが出来る。また、注文するための製品番号や、注文先の電話番号などのメモもとる必要がない。
【０１６２】
本実施の形態では、静止画のシーンについては、Ｉフレームのみを保存領域９に保存することによって保存領域９を節約することも出来る。
【０１６３】
なお、本実施の形態では、通信販売の番組を視聴している場合について説明したが、料理番組、映画、ドラマ、野球、相撲、音楽などどのような番組であっても構わない。
【０１６４】
さらに、本実施の形態では、放送局から送られてくるＡＶデータがＭＰＥＧ２トランスポートストリームとして送られてくるとして説明したが、これに限らない。ＭＰＥＧ１準拠のＡＶデータ、ＭＰＥＧ４準拠のＡＶデータ、ＭＰＥＧ２プログラムストリーム、あるいはＭＰＥＧ以外のデータ形式など、要するにディジタルデータとしてＡＶデータが放送局から送られてきさえすればよい。
【０１６５】
さらに、本実施の形態では、プレイバック再生の時間は３０秒であるとして説明したが、これに限らず、２０秒、１０秒など、要するにプレイバック再生に適した所定の時間でありさえすればよい。
【０１６６】
さらに、本実施の形態では、録画制御部５はリングバッファ領域８にＡＶデータを記録しながら、記録してから所定の時間が経過したＡＶデータを逐次消去するとして説明したがこれに限らない。録画制御部５はリングバッファ領域８にすでに記録されているＡＶデータに逐次上書きしていっても構わない。ただし、Ｉ、Ｂ、Ｐフレームの違いや映像の複雑さによって１フレームあたりのデータの容量が変化するので、プレイバック再生の再生可能時間にばらつきが生じるが本実施の形態と同等の効果を得ることが出来る。
【０１６７】
さらに、本実施の形態では、プレイバック再生用のＡＶデータを記録する領域として、ＨＤＤ７にリングバッファ領域８を設けたが、これに限らず、半導体メモリ、光磁気ディスクなど、要するに現時点から所定の時間分のＡＶデータを常に記録しており、現時点から所定時間分のＡＶデータを出力出来るバッファでありさえすればよい。
【０１６８】
さらに、本実施の形態では、プレイバック再生中にＡＶデータをＨＤＤ７の保存領域９に恒久的に保存するとして説明したが、これに限らず、半導体メモリ、光磁気ディスクなど、要するにＡＶデータを保存出来る記録媒体に保存しさえすればよい。
【０１６９】
さらに、本実施の形態では、プレイバック再生中にＡＶデータをＨＤＤ７の保存領域９に恒久的に保存するとして説明したが、これに限らず、ＴＶ受信部４からのＡＶデータを再生している最中にリングバッファ領域８に記録されているＡＶデータを保存領域９に保存しても構わない。そのためには、放送中のＡＶデータをモニタに表示している際に、リモコン１８の静止画保存２２のキーを押す操作を行えばよい。
【０１７０】
（第４の実施の形態）
次に、本発明の第４の実施の形態について説明する。
【０１７１】
本実施の形態では、プレイバック再生用のＡＶデータを記録するリングバッファ領域が二つある場合について説明する。
【０１７２】
図４に本実施の形態のテレビジョン受像装置２３を示す。本実施の形態のテレビジョン受像装置２３は、リングバッファ領域８ａ、リングバッファ領域８ｂを二つ持つ。また、録画制御部２４、切替スイッチ２５が第１の実施の形態とは異なっている。
【０１７３】
また、図６に本実施の形態のリモコン１８を示す。本実施の形態のリモコン１８は第１の実施の形態のリモコン１８のキーに加えて、長く３４、短く３５のキーを備えている。
【０１７４】
録画制御部２４は、第１の実施の形態と同じくＡＶデータをＨＤＤ７に記録する手段であり、録画制御部５との相違点は、リングバッファ領域８ａとリングバッファ領域８ｂとに同時にＡＶデータを記録する並列型の記録と、リングバッファ領域８ａとリングバッファ領域８ｂとをあたかも一つのリングバッファ領域であるようにＡＶデータを記録する直列型の記録とを行うことが出来る。
【０１７５】
また、切替スイッチ２５は、ＴＶ受信部４、リングバッファ領域８ａ、リングバッファ領域８ｂ、保存領域９のＡＶデータのいずれから再生部１２がＡＶデータを読み込むかを切り替えるスイッチである。
【０１７６】
なお、本実施の形態のＴＶ受信部４は本発明の受信手段の例であり、本実施の形態の切り替えスイッチ２５、再生部１２は本発明の再生手段の例であり、本実施の形態の録画制御部２４とリングバッファ領域８ａ、リングバッファ領域８ｂは本発明のバッファ手段の例であり、本実施の形態の録画制御部２４と保存領域９は本発明の保存手段の例である。
【０１７７】
次に、このような本実施の形態の動作を第１の実施の形態との相違点を中心に説明する。
【０１７８】
なお、本実施の形態でもＡＶデータは放送局からＭＰＥＧ２トランスポートストリームとして送られてくる。
【０１７９】
まず、リングバッファ領域８ａとリングバッファ領域８ｂに並列してＡＶデータを記録する場合の動作について説明する。
【０１８０】
この場合、録画制御部２４は、ＴＶ受信部４からＭＰＥＧ２トランスポートストリームとして送られてくるＡＶデータを、リングバッファ領域８ａとリングバッファ領域８ｂとに同時に記録する。
【０１８１】
録画制御部２４がリングバッファ領域８ａにＡＶデータを記録する動作と録画制御部２４がリングバッファ領域８ｂにＡＶデータを記録する動作はそれぞれ第１の実施の形態で録画制御部５がリングバッファ領域８にＡＶデータを記録する動作と同一である。このように、録画制御部２４とリングバッファ領域８ａとリングバッファ領域８ｂは、並列に接続された二つのバッファとして機能する。
【０１８２】
視聴者が、図６の短く３５のキーを押せば、テレビジョン受像装置２３は、上記の動作を行う。
【０１８３】
図５の（ａ）にリングバッファ領域８ａとリングバッファ領域８ｂの状態であるリングバッファ内のＡＶデータとＴＶ受信部４から出力されるＡＶデータを示す。ＴＶ受信部４からは、ＡＶデータ１４が出力され、現在、現時点１５の部分が出力されている。このときリングバッファ領域８ａとリングバッファ領域８ｂには、リングバッファ内のＡＶデータ１６が記録されている。リングバッファ内のＡＶデータ１６は、現時点から３０秒分過去に遡った部分までが記録されている。すなわち、３０秒過去から現時点１５までのＡＶデータをプレイバック再生することが出来る。この３０秒分のＡＶデータは、図５ではプレイバック再生可能部分１７として示されている。すなわち、リングバッファ領域８ａとリングバッファ領域８ｂには同じＡＶデータが記録されている。
【０１８４】
モニタ１３には、ＴＶ受信部４から送られてくる現在放送中のＡＶデータが表示されている。
【０１８５】
ここで、視聴者が、リモコン３０のプレイバック１９のキーを押したとする。
【０１８６】
そうすると、システム制御部１１は、リモコン３０からの操作命令を受信する。次に、システム制御部１１は、ＴＶ受信部４から送られてくるＡＶデータを再生部１２に中継する側からリングバッファ領域８ａのＡＶデータを再生部１２に中継するように切替スイッチ２５を切り替えるよう制御する。同時に録画制御部２４にプレイバック再生を開始することを通知する。
【０１８７】
録画制御部２４は、これを受けて、プレイバック再生中はリングバッファ領域８ａにＡＶデータを書き込むことを中止し、３０秒経過したＡＶデータを消去することも中止する。このように録画制御部２４は、プレイバック再生中はリングバッファ領域８ａを凍結する。
【０１８８】
一方、録画制御部２４は、リングバッファ領域８ｂには、ＡＶデータを逐次記録しながら、同時に記録されてから３０秒経過したＡＶデータを消去するバッファリングを継続して行っている。
【０１８９】
再生部１２は、リングバッファ領域８ａのＡＶデータを読み込み、デコードしてアナログ信号に変換する。
【０１９０】
モニタ１３は、アナログ信号の映像と音声を表示する。
【０１９１】
このようにプレイバック再生している際に、視聴者がさらに、リモコン３０のプレイバック１９のキーを押したとする。
【０１９２】
そうすると、システム制御部１１は、リモコン３０からの操作命令を受信する。
【０１９３】
システム制御部１１は、リングバッファ領域８ａに記録されているＡＶデータを再生部１２に中継する側からリングバッファ領域８ｂのＡＶデータを再生部１２に中継する側に切替スイッチ２５を切り替える。同時に録画制御部２４にプレイバック再生を開始することを通知する。
【０１９４】
録画制御部２４は、これを受けて、プレイバック再生中はリングバッファ領域８ｂにＡＶデータを書き込むことを中止し、３０秒経過したＡＶデータを消去することも中止する。このように録画制御部２４は、プレイバック再生中はリングバッファ領域８ｂを凍結する。
【０１９５】
一方、録画制御部２４は、リングバッファ領域８ａには、ＡＶデータを逐次記録しながら、同時に記録されてから３０秒経過したＡＶデータを消去するバッファリングを再開する。
【０１９６】
このように、プレイバック再生中に放送されたＡＶデータは、プレイバック再生されていない方のリングバッファ領域８ｂに記録されているので、リングバッファ領域８ａまたは８ｂを切り替えることによって、プレイバック再生中に放送されたＡＶデータも視聴することが出来る。
【０１９７】
また、第１〜第３の実施の形態で説明したように、現在プレイバック再生に用いられているリングバッファ領域８ａまたはリングバッファ領域８ｂに記録されているＡＶデータを保存領域９に、全部保存したり、指定された部分を保存したり、Ｉフレームのみ保存したりすることが出来る。
【０１９８】
次に、リングバッファ領域８ａとリングバッファ領域８ｂを直列型にしてＡＶデータを記録する場合の動作について説明する。
【０１９９】
この場合、録画制御部２４は、ＴＶ受信部４からＭＰＥＧ２トランスポートストリームとして送られてくるＡＶデータを、リングバッファ領域８ａとリングバッファ領域８ｂとに順次記録する。
【０２００】
その記録の仕方は、リングバッファ領域８ａとリングバッファ領域８ｂがあたかも一つのリングバッファ領域８であるかのように記録する。
【０２０１】
すなわち、録画制御部２４がリングバッファ領域８ａとリングバッファ領域８ｂにＡＶデータを記録する動作は、第１の実施の形態で録画制御部５がリングバッファ領域８にＡＶデータを記録する動作と同一である。このように、録画制御部２４とリングバッファ領域８ａとリングバッファ領域８ｂは、直列に接続された二つのバッファとして機能する。ただし、リングバッファ領域が並列型に比較して倍の長さになっている。
【０２０２】
図５の（ｂ）にリングバッファ領域８ａとリングバッファ領域８ｂがあたかも一つのリングバッファ領域であるかのように機能する場合のリングバッファ内のＡＶデータとＴＶ受信部４から出力されるＡＶデータを示す。ＴＶ受信部４からは、ＡＶデータ１４が出力され、現在、現時点１５の部分が出力されている。このときリングバッファ領域８ａとリングバッファ領域８ｂには、リングバッファ内のＡＶデータ３２が記録されている。リングバッファ内のＡＶデータ３２は、現時点から６０秒分過去に遡った部分までが記録されている。すなわち、６０秒過去から現時点１５までのＡＶデータをプレイバック再生することが出来る。この６０秒分のＡＶデータは、図５の（ｂ）ではプレイバック再生可能部分３３として示されている。すなわち上述したように、図５の（ａ）の場合に比較して図５の（ｂ）ではプレイバック再生の時間が倍になる。
【０２０３】
視聴者が、図６の長く３４のキーを押せば、テレビジョン受像装置２３は、上記の動作を行う。
【０２０４】
モニタ１３には、ＴＶ受信部４から送られてくる現在放送中のＡＶデータが表示されている。
【０２０５】
ここで、視聴者が、リモコン３０のプレイバック１９のキーを押したとする。
【０２０６】
そうすると、システム制御部１１は、リモコン３０からの操作命令を受信する。次に、システム制御部１１は、ＴＶ受信部４から送られてくるＡＶデータを再生部１２に中継する側からリングバッファ領域８ａのＡＶデータを再生部１２に中継するように切替スイッチ２５を切り替える。同時に録画制御部２４にプレイバック再生を開始することを通知する。
【０２０７】
録画制御部２４は、これを受けて、プレイバック再生中はリングバッファ領域８ａとリングバッファ領域８ｂにＡＶデータを書き込むことを中止する。６０秒経過したＡＶデータを消去することも中止する。このように録画制御部２４は、プレイバック再生中はリングバッファ領域８ａとリングバッファ領域８ｂを凍結する。
【０２０８】
再生部１２は、リングバッファ領域８ａのＡＶデータを読み込み、デコードしてアナログ信号に変換する。
【０２０９】
また、リングバッファ領域８ａに記録されているＡＶデータを再生し終わると、システム制御部１１は、切替スイッチ２５をリングバッファ領域８ｂの方に切り替えるように制御する。これを受けて切替スイッチ２５は、リングバッファ領域８ｂから再生部１２にＡＶデータを中継するように切り替える。
【０２１０】
再生部１２は引き続きリングバッファ領域８ｂに記録されているＡＶデータを読み込み、デコードしてアナログ信号に変換する。
【０２１１】
モニタ１３は、アナログ信号の映像と音声を表示する。
【０２１２】
この場合、プレイバック再生中に、視聴者がさらに、リモコン３０のプレイバック１９のキーを押した場合、再生部１２は、もう一度６０秒前からプレイバック再生を繰り返す。
【０２１３】
また、第１〜第３の実施の形態で説明したように、現在プレイバック再生に用いられているリングバッファ領域８ａとリングバッファ領域８ｂに記録されているＡＶデータを保存領域９に、全部保存したり、指定された部分を保存したり、Ｉフレームのみ保存したりすることが出来る。
【０２１４】
このように、テレビジョン受像装置２３は、リングバッファ領域８ａとリングバッファ領域８ｂへＡＶデータを記録する仕方を変更することによって、プレイバック再生中に放送されたため視聴出来なかった部分のＡＶデータを視聴可能としたり、プレイバック再生の時間を長くするなど、多様なプレイバック再生を行うことが出来る。
【０２１５】
なお本実施の形態ではリングバッファ領域が二つあるとして説明したが、これに限らず、３個、４個など、要するに複数のリングバッファ領域を備えていさえすればよい。
【０２１６】
（第５の実施の形態）
次に、本発明に関連する発明の第５の実施の形態について説明する。
【０２１７】
本実施の形態では、第１〜３の各実施の形態とは異なり放送局から送られてくるＡＶデータがアナログデータとして送られてくる場合を説明する。
【０２１８】
図７に本実施の形態のテレビジョン受像装置３６の構成を示す。
【０２１９】
本実施の形態のテレビジョン受像装置３６はエンコーダ３７を備えている。
【０２２０】
ＴＶ受信部４は、放送局からアナログデータとして送られてくるＡＶデータを受信し、復調する手段である。
【０２２１】
エンコーダ３７は、ＴＶ受信部４で復調されたＡＶデータをＭＰＥＧ２トランスポートストリームにエンコードする手段である。
【０２２２】
次に、このような本実施の形態の動作を説明する。
【０２２３】
放送局からは、アナログデータとして放送波にのせてＡＶデータが送られてくる。
【０２２４】
ＴＶ受信部４は、放送波を受信し、復調する。
【０２２５】
エンコーダ３７は、復調されたアナログデータをＭＰＥＧ２トランスポートストリームにエンコードする。
【０２２６】
これ以降は、第１〜３の各実施の形態と同一の動作をするので、説明を省略する。
【０２２７】
このように本実施の形態によれば、第１〜３の各実施の形態で行っていた処理をエンコーダ３７を備えることにより、アナログデータに対しても行うことが出来る。
【０２２８】
（第６の実施の形態）
次に、本発明の第６の実施の形態について説明する。
【０２２９】
本実施の形態では、第４の実施の形態とは異なり放送局から送られてくるＡＶデータがアナログデータとして送られてくる場合を説明する。
【０２３０】
図８に本実施の形態のテレビジョン受像装置３８の構成を示す。
【０２３１】
本実施の形態のテレビジョン受像装置３８はエンコーダ３７を備えている。
【０２３２】
ＴＶ受信部４は、放送局からアナログデータとして送られてくるＡＶデータを受信し、復調する手段である。
【０２３３】
エンコーダ３７は、ＴＶ受信部４で復調されたＡＶデータをＭＰＥＧ２トランスポートストリームにエンコードする手段である。
【０２３４】
次に、このような本実施の形態の動作を説明する。
【０２３５】
放送局からは、アナログデータとして放送波にのせてＡＶデータが送られてくる。
【０２３６】
ＴＶ受信部４は、放送波を受信し、復調する。
【０２３７】
エンコーダ３７は、復調されたアナログデータをＭＰＥＧ２トランスポートストリームにエンコードする。
【０２３８】
これ以降は、第４の実施の形態と同一の動作をするので、説明を省略する。
【０２３９】
このように本実施の形態によれば、第４の実施の形態で行っていた処理をエンコーダ３７を備えることにより、アナログデータに対しても行うことが出来る。
【０２４０】
なお、本発明のテレビジョン受像装置の全部または一部の手段の機能をコンピュータのプログラムによってソフトウェア的に実現しても構わないし、ハードウェアによって実現しても構わない。
【０２４１】
さらに、本発明のテレビジョン受像装置の全部または一部の手段の機能をコンピュータにより実行させるためのプログラムを記録したプログラム記録媒体であって、コンピュータにより読み取り可能であり、読み取られた前記プログラムが前記コンピュータと協動して前記機能を実行することを特徴とするプログラム記録媒体も本発明に属する。
【０２４２】
【発明の効果】
以上説明したところから明らかなように、本発明は、プレイバック再生したＡＶデータを何度も視聴することが出来るテレビジョン受像装置及びプログラム記録媒体を提供することが出来る。
【０２４３】
また、本発明は、プレイバック中に放送されたＡＶデータの部分も視聴することが出来るテレビジョン受像装置及びプログラム記録媒体を提供することが出来る。
【０２４４】
また、本発明は、プレイバック再生を行う時間を長くすることが出来るテレビジョン受像装置及びプログラム記録媒体を提供することが出来る。
【図面の簡単な説明】
【図１】本発明に関連する発明の第１〜３の実施の形態におけるテレビジョン受像装置の構成を示すブロック図
【図２】本発明に関連する発明の第１〜３の実施の形態におけるＡＶデータのうちプレイバック再生可能部分を説明する図
【図３】本発明に関連する発明の第１〜３の実施の形態におけるテレビジョン受像装置を操作するリモコンの操作キーを示す図
【図４】本発明の第４の実施の形態におけるテレビジョン受像装置の構成を示すブロック図
【図５】（ａ）本発明の第４の実施の形態におけるＡＶデータのうち並列型でリングバッファ領域を使用する場合のプレイバック再生可能部分を説明する図
（ｂ）本発明の第４の実施の形態におけるＡＶデータのうち直列型でリングバッファ領域を使用する場合のプレイバック再生可能部分を説明する図
【図６】本発明の第４の実施の形態におけるテレビジョン受像装置を操作するリモコンの操作キーを示す図
【図７】本発明に関連する発明の第５の実施の形態におけるテレビジョン受像装置の構成を示すブロック図
【図８】本発明の第６の実施の形態におけるテレビジョン受像装置の構成を示すブロック図
【図９】従来のテレビジョン受像装置の構成を示すブロック図
【符号の説明】
１  テレビジョン受像装置
２  アンテナ
３  モニタ
４  ＴＶ受信部
５  録画制御部
６  時計
７  ＨＤＤ
８  リングバッファ領域
９  保存領域
１０  切替スイッチ
１１  システム制御部
１２  再生部
１４  ＡＶデータ
１５  現時点
１６  リングバッファ内のＡＶデータ
１７  プレイバック再生可能部分
１８  リモコン
１９  プレイバック
２０  全部保存
２１  一部保存
２２  静止画保存
２３  テレビジョン受像装置
２４  録画制御部
２５  切替スイッチ
２６  テレビジョン受像装置
２７  録画制御部
２８  リングバッファ領域
２９  切替スイッチ
【図１】
0004322378.tif 000002
【図２】
0004322378.tif 000003
【図３】
0004322378.tif 000004
【図４】
0004322378.tif 000005
【図５】
0004322378.tif 000006
【図６】
0004322378.tif 000007
【図７】
0004322378.tif 000008
【図８】
0004322378.tif 000009
【図９】
0004322378.tif 000010